(57)【要約】      （修正有）【課題】定距離ステップ平行移動方式により使用者にかかる力を軽減させることができるステップ式定距離移動歩行補助器を提供する。【解決手段】制御支柱１０と、従動支柱２０と、二つの連動メカニズム３０と、によってなる。制御支柱は、上端に手持ち部１２を備える平行に設けられた二本の制御バー１１と、二本の制御バーの中段付近に連結された横バー１３と、によってなる。従動支柱は、平行に設けられた二本の従動バー２１と、二本の従動バーの中段付近に連結された横バー２２と、によってなる。二本の従動バーの上端は、二本の制御バーにおける手持ち部の下方に枢設されて枢軸回転部を形成し、それにより、制御支柱と従動支柱は相互に枢軸回転する。二つの連動メカニズムは、制御支柱と従動支柱の両側の枢軸回転部下方の制御バーと従動バーの間にそれぞれ連結されるとともに、制御支柱と従動支柱を展開させた際の両者の最大距離を制限する。【選択図】図１
0003171636.tif 000002
【実用新案登録請求の範囲】
【請求項１】
制御支柱と、従動支柱と、二つの連動メカニズムと、によってなるステップ式定距離移動歩行補助器であって、
制御支柱は、上端に手持ち部を備える平行に設けられた二本の制御バーと、二本の制御バーの中段付近に連結された横バーと、によってなり、
従動支柱は、平行に設けられた二本の従動バーと、二本の従動バーの中段付近に連結された横バーと、によってなり、
二本の従動バーの上端は、二本の制御バーにおける手持ち部の下方に枢設されて枢軸回転部を形成し、それにより、制御支柱と従動支柱は相互に枢軸回転し、
二つの連動メカニズムは、制御支柱と従動支柱の両側の枢軸回転部下方の制御バーと従動バーの間にそれぞれ連結され、
また、二つの連動メカニズムは、制御支柱と従動支柱を展開させた際の両者の最大距離を制限し、それにより、制御支柱と従動支柱は、枢軸回転部を介して開いたり閉じたりすることで順番に地面に着いて定距離ステップ式平行移動が行われることを特徴とする、ステップ式定距離移動歩行補助器。
【請求項２】
前記連動メカニズムは、相互に枢設された第一連結バーと第二連結バー、及び弾性部材からなり、第一連結バーの他端は制御バーの下端に連結され、第二連結バーの他端は従動バーの下端に連結され、弾性部材の一端は、第一連結バーと第二連結バーが枢設されている端部の任意の連結バーに連結され、弾性部材の他端は、枢軸回転部下方の制御バーに連結されていることを特徴とする、請求項１に記載のステップ式定距離移動歩行補助器。
【請求項３】
制御バーと従動バーの末端の外壁には穿孔が設けられ、穿孔には、バー内でＶ形を形成する弾性片が設けられ、弾性片の一側の凸体は穿孔から突出し、制御バーと従動バー下端の外側には、それぞれ外カバー管が被せられ、外カバー管には、Ｖ形弾性片の凸体が嵌入される複数の位置決め孔が設けられることを特徴とする、請求項１に記載のステップ式定距離移動歩行補助器。
【請求項４】
二本の制御バーの手持ち部の端部の外壁には穿孔が設けられ、穿孔には、バー内でＶ形を形成する弾性片が設けられ、弾性片の一側の凸体は穿孔から突出し、二つの手持ち部には、制御バーに被せられる外カバー管が連結され、外カバー管には、Ｖ形弾性片の凸体が嵌入される複数の位置決め孔が設けられ、最上端の位置決め孔の外側には、手持ち部の回転方向を位置決めする折りたたみ位置決め孔が間隔をあけて設けられることを特徴とする、請求項１、または、請求項２、または、請求項３に記載のステップ式定距離移動歩行補助器。
【請求項５】
二本の従動バーの上端には寄りかかり横バーが連結されており、制御支柱と従動支柱の二本の横バーには、腰かけ部が配置され、腰かけ部の底部は、複数の固定部材によって制御支柱の横バーに固定され、それにより枢軸回転部を形成することを特徴とする、請求項１、または、請求項２、または、請求項３に記載のステップ式定距離移動歩行補助器。
【請求項６】
二本の従動バーの上端には寄りかかり横バーが連結されており、制御支柱と従動支柱の二本の横バーには、腰かけ部が配置され、腰かけ部の底部は、複数の固定部材によって制御支柱の横バーに固定され、それにより枢軸回転部を形成することを特徴とする、請求項４に記載のステップ式定距離移動歩行補助器。
【考案の詳細な説明】
【技術分野】
【０００１】
本考案は、最も優れた歩行補助効果を備えたステップ式定距離移動歩行補助器に関する。
【背景技術】
【０００２】
台湾実用新案第Ｍ２７１５５９号「歩行補助器の改良構造」は、主に、二本の脚部と、連結バーとによって構成する。脚部の底端には支持脚が設けられ、頂端には手持ち部が設けられ、連結バーの両端と両側の脚部は接合され、それにより、二つの脚部の間の展開の幅が制限される。連結バーの中央には伸縮バー部が設けられ、伸縮バー部には、複数の位置決め孔と位置決め体が設けられ、伸縮バー部の二本のバー体が交わる箇所には、接合カバーが設けられ、連結バーの伸縮バー部の位置決め体を調整し、適切な位置決め孔に接合させることにより連結バーの長さを調整することができ、また二本の脚部の展開の幅を調整することができる。
【先行技術文献】
【特許文献】
【０００３】
【特許文献１】台湾実用新案第Ｍ２７１５５９号明細書
【考案の概要】
【考案が解決しようとする課題】
【０００４】
上述した従来の構造には歩行を補助する効果があるものの、使用上、以下の欠点がある。
【０００５】
１、従来の構造を操作する際は、両手で歩行補助器を持ち上げて前へ移動させ、さらに、両手に力を入れて体を前方へステップさせるため、手に負荷がかかり疲れて痛くなる。
【０００６】
２、歩行補助器全体を持ち上げて前へ進むとき、自分自身と歩行補助器の重量を支えなければならず、荷重がかかり、重心が安定せず、倒れてしまいやすい。
【０００７】
３、歩くのが困難な使用者が歩行補助器を持ち上げて前へ進もうとする時、踏み出すステップの距離が大きくなったり小さくなったりする。即ち、歩く歩幅を調整して安定させることができない。もし、踏み出すステップの距離が大きすぎて重心が安定せずに倒れてしまう心配があるときは、小さいステップで歩くしかできず、歩行補助効果を十分に発揮できない。
【０００８】
４、座る機能が提供されていないため、体が不自由な人や体の弱い人が歩く際、座って一時休憩することができない。
【０００９】
従って、従来の構造の欠点を如何に改善するかが、本考案が解決したい課題である。
【００１０】
本考案は、定距離ステップ平行移動方式により使用者にかかる力を軽減させることができ、即ち、前へ移動する際に、手の操作にかかる負担と、支える足にかかる力を軽減させることができるため、優れた安定性と安全性をもつとともに操作する力を更に軽くする効果をもつ最も優れた歩行補助機能を有するステップ式定距離移動歩行補助器を提供することを目的とする。
【００１１】
また、本考案は、歩行補助機能、座る機能、高さ調整機能、折りたためて場所をとらない機能等の複合機能を備えたステップ式定距離移動歩行補助器を提供することを目的とする。
【課題を解決するための手段】
【００１２】
本考案によるステップ式定距離移動歩行補助器は、制御支柱と、従動支柱と、二つの連動メカニズムと、によってなる。制御支柱は、上端に手持ち部を備える平行に設けられた二本の制御バーと、二本の制御バーの中段付近に連結された横バーと、によってなる。従動支柱は、平行に設けられた二本の従動バーと、二本の従動バーの中段付近に連結された横バーと、によってなる。二本の従動バーの上端は、二本の制御バーにおける手持ち部の下方に枢設されて枢軸回転部を形成し、それにより、制御支柱と従動支柱は相互に枢軸回転する。二つの連動メカニズムは、制御支柱と従動支柱の両側の枢軸回転部下方の制御バーと従動バーの間にそれぞれ連結される。また、二つの連動メカニズムは、制御支柱と従動支柱を展開させた際の両者の最大距離を制限し、それにより、制御支柱と従動支柱は、枢軸回転部を介して開いたり閉じたりすることで順番に地面に着いて定距離ステップ式平行移動が行われる。
【図面の簡単な説明】
【００１３】
【図１】本考案を示した分解斜視図である。
【図２】本考案を組み合わせた状態を示した斜視図である。
【図３】本考案を展開させた状態を示した説明図である。
【図４】本考案を前へ踏み出して前進させる操作を示した説明図である。
【図５】本考案を前へ踏み出して前進させる操作を示した説明図である。
【図６】本考案に座った状態を示した説明図である。
【図７】本考案の俯瞰図である。
【図８】本考案を折りたたんだ状態を示した説明図である。
【図９】本考案を折りたたんだ状態を示した側面図である。
【考案を実施するための形態】
【００１４】
図１から図３に示すように、本考案は、制御支柱１０と、従動支柱２０と、二つの連動メカニズム３０と、腰かけ部４０と、によって構成する。
【００１５】
制御支柱１０は、上端に手持ち部１２を備える平行に設けられた二本の制御バー１１と、横バー１３とを連結させてなる。二本の制御バー１１の上端には穿孔が設けられ、穿孔には、制御バー１１内でＶ形を形成する弾性片１４が設けられ、弾性片１４の一端の凸体１４１は穿孔から突出する。二つの手持ち部１２には、制御バー１１に被せられる外カバー管１６が結合されており、外カバー管１６には、Ｖ形弾性片１４の凸体１４１が嵌入される位置決め孔１６１が設けられている。外カバー管１６における最上端の位置決め孔１６１の外側には、折りたたみ位置決め孔１６２が間隔をあけて設けられている。凸体１４１を押すことにより、二つの手持ち部１２の外カバー管１６の伸縮の長さを調整し、高さを調整することができる。
【００１６】
従動支柱２０は、平行に設けられた二本の従動バー２１と、横バー２２とを連結させてなる。二本の従動バー２１の上端は、二本の制御バー１１の手持ち部１２下方と枢設されて、枢軸回転部Ａを形成する。それにより、制御支柱１０と従動支柱２０を相互に枢軸回転させることができる。なお、枢軸回転部Ａの外端の二本の従動バー２１間には、寄りかかり横バー２３が連結されている。
【００１７】
本考案の歩行補助器は、手持ち部１２の端部に高さ調整機能が設けられている以外に、図３に示すように、二本の制御バー１１と二本の従動バー２１の下端には穿孔が設けられ、バーの穿孔内にはＶ形弾性片１４、２４が設けられ、Ｖ形弾性片１４、２４の一側の凸体１４１、２４１は穿孔から突出し、対向する外側には、それぞれ外カバー管１５、２５が被せられ、外カバー管１５、２５には、Ｖ形弾性片１４、２４の凸体１４１、２４１を嵌入させる複数の位置決め孔１５１、２５１が設けられ、凸体１４１、２４１を押すことにより、制御バー１１と従動バー２１の伸縮の長さを調整することができる。以上により、歩行補助器は、使用者の身長に合わせて調整して使用することができる。
【００１８】
二つの連動メカニズム３０は、制御支柱１０と従動支柱２０の両側の枢軸回転部Ａ下方の制御バー１１と従動バー２１の間にそれぞれ設けられる。二つの連動メカニズム３０は、枢設された第一連結バー３１と第二連結バー３２、及び弾性部材３３とを連結させてなる。第一連結バー３１の他端は、制御バー１１の下端に枢設され、第二連結バー３２の他端は、従動バー２１の下端に枢設される。弾性部材３３の一端は、第一、二連結バー３１、３２が枢設されている端部の任意の連結バーに連結され、弾性部材３３の他端は、枢軸回転部Ａ下方の制御バー１１に連結される。
【００１９】
腰かけ部４０は、制御支柱１０と従動支柱２０の二本の横バー１３、２２に配置され、その底部は、複数の固定部材４１とネジによって、制御支柱１０の横バー１３に固定され、回転軸の支点を形成する。固定部材４１は、両側が延伸して結合部を形成している半円形の嵌め込み式固定部材であり、二つの結合部には、ネジで螺合するための結合孔が貫設されている。
【００２０】
図４に示すように、本考案を使用して歩行する際、使用者は、従動支柱２０を地面につけ重心の支えとし、制御支柱１０の手持ち部１２に対して下方へ力を入れると、制御支柱１０は、従動支柱２０の枢軸回転部Ａを軸心として枢軸回転して前方へと開き、弾性部材３３に引っ張られた第一、二連結バー３１、３２の長さが開くことにより、制御支柱１０と従動支柱２０の展開する距離、即ち、両者の地面に着く端部同士の距離が制限され、下向き矢印に示すように、制御支柱１０が持ち上がることにより前方へ踏み出される（実線で図示）。また、図５の矢印と点線に示すように、弾性部材３３の弾性回復により、第一連結バー３１と第二連結バー３２が引っ張られて折りたたまれるとともに、従動支柱２０が引っ張られて制御支柱１０の方向へと近づき  図の実線に示すような折りたたみ状となる。以上のように、歩行補助器全体の重量を制御支柱１０と従動支柱２０が順番に支える動作の反復により、定距離ステップ式平行移動の効果を達成することができる。本考案は、歩行補助器を操作する際持ち上げる必要がなく、支える重心を移動させることにより、疲れたり、痛くなったり、重心が安定せずに倒れてしまう状況が生じるのを防ぐことができ、安定、安全、且つ使う力を軽減させながら、定距離のステップで前進させることができ、最も優れた歩行補助効果を発揮する。
【００２１】
図６に示すように、本考案は、制御支柱１０と従動支柱２０を、枢軸回転部Ａを介して枢軸回転させることにより展開させた状態にすることができ、さらに、腰かけ部４０を下方へめくって二本の横バー１３、２２に配置させ、さらに、従動支柱２０の上端の寄りかかり横バー２３を組み合わせると、背もたれつきの椅子となり、使用者はそれに腰かけることができる。
【００２２】
図７から図９に示すように、本考案を使用していない時は、手持ち部１２端部の凸体１４１を内側へ押して、二つの手持ち部１２を最上端の位置決め孔１６１まで引っ張り、さらに、内側へ回転させて凸体１４１を折りたたみ位置決め孔１６２内に嵌入させると、二つの手持ち部１２は、横バー１３の方向へ向いて折りたたまれる。さらに、腰かけ部４０を上にめくり上げて従動支柱２０の寄りかかり横バー２３にくっつけ、次に、従動支柱２０と制御支柱１０を近づけ連動メカニズム３０と一緒に折りたたむ。以上により、体積が縮小されスペースをとらず収納するのに便利になる。
【００２３】
上述した本考案による「ステップ式定距離移動歩行補助器」は、順番に重心を移動させるステップ式平行移動構造により、操作にかかる力を軽減させることができ、また、少ない力で安定して操作しつつ且つステップの距離を大きくすることができる。さらに、腰かけ部を設けたことにより、使用者はいつでも座って休憩することができる。このように、本考案は、マルチな使用方法を備えているため、進歩性を有する。
【符号の説明】
【００２４】
１０                制御支柱                  
１１                制御バー        
１２                手持ち部    
１３、２２          横バー                
２０                従動支柱        
２１                従動バー
１４、２４          Ｖ形弾性片        
１４１、２４１      凸体
１５、１６、２５    外カバー管    
１５１、２５１、１６１      位置決め孔  
２３                寄りかかり横バー                    
３０                連動メカニズム    
３１                第一連結バー          
３２                第二連結バー            
３３                弾性部材        
４０                腰かけ部                  
４１                固定部材                
Ａ                  枢軸回転部      
１６２              折收位置決め孔
【図１】
0003171636.tif 000003
【図２】
0003171636.tif 000004
【図３】
0003171636.tif 000005
【図４】
0003171636.tif 000006
【図５】
0003171636.tif 000007
【図６】
0003171636.tif 000008
【図７】
0003171636.tif 000009
【図８】
0003171636.tif 000010
【図９】
0003171636.tif 000011